(57)【要約】【課題】ユーザが直感的に操作可能なユーザインタフェースにより、ワンアクションで情報を特定し表示する情報表示装置及び情報表示方法を提供する。【解決手段】資料データを記憶するデータベースに格納された資料データと予め対応付けられたピンＩＤを記憶するピン１Ａが、ピンＩＤを無線発信し、ピンＩＦ部２が、ピンが無線発信するピンＩＤを受信する。ピンＩＦ部２は、ネットワークを介して接続され、ピンＩＤと資料データを対応付ける対応情報を記憶するＩＤ管理装置３に、受信したピンＩＤを送信する。ピンＩＦ部２は、受信したピンＩＤと予め対応付けられた資料データの格納場所を示すディレクトリ情報をＩＤ管理装置３から受けて、ディレクトリ情報が示す資料データをデータベースより読み出し、プロジェクタ４に出力することによりスクリーン５に表示する。【選択図】　図１
2004085804.tif 000002
【特許請求の範囲】
【請求項１】
ピンと、ピンＩＦ部と、該ピンＩＦ部とネットワークを介して接続されるＩＤ管理装置からなる情報処理装置であって、
前記ピンが、ピンＩＤを記憶する第１の記憶手段と、該ピンＩＤを無線発信する第１の発信手段とを具備し、
前記ＩＤ管理装置が、資料データを記憶するデータベースに格納された資料データと前記ピンＩＤとを予め対応付ける対応情報を記憶する第２の記憶手段と、前記ピンＩＦ部より前記ピンＩＤを受信する第１の受信手段と、前記ピンＩＤの対応情報を前記ピンＩＦ部に対して送信する第１の送信手段とを具備し、
前記ピンＩＦ部が、前記ピンが無線発信するピンＩＤを受信する第２の受信手段と、前記受信したピンＩＤを前記ＩＤ管理装置に送信する第２の送信手段と、前記ＩＤ管理装置より前記ピンＩＤの対応情報を受けて、該対応情報が示す資料データの格納場所を示すディレクトリ情報が示す資料データを前記データベースより読み出し、所定の表示手段に対して出力する制御手段を具備する
ことを特徴とする情報表示装置。
【請求項２】
ピンＩＤを記憶する第１の記憶手段と、該ピンＩＤを無線発信する第１の発信手段とを具備するピンと、
前記ピンが無線発信するピンＩＤを受信する第１の受信手段と、前記ピンＩＤと前記資料データを対応付ける対応情報を記憶する第２の記憶手段と、前記ピンＩＤと予め対応付けられた資料データの格納場所を示すディレクトリ情報が示す資料データを前記データベースより読み出し、所定の表示手段に対して出力する制御手段を具備するピンＩＦ部と
を具備することを特徴とする情報表示装置。
【請求項３】
前記ピンＩＦ部は、前記ピンの座標位置を認識する座標認識手段をさらに具備し、
前記制御手段は、前記ピンＩＤと予め対応付けられた資料データの格納場所を示すディレクトリ情報が示す資料データを前記データベースより読み出し、前記ピンの座標位置に基づいて、該データを所定の表示手段に対して出力する
ことを特徴とする請求項１または請求項２に記載の情報表示装置。
【請求項４】
前記ピンは、ユーザが前記資料データの表示を切り替えるために行う回転操作及び／またはボタン操作に関する操作を検出する操作検出手段と、該操作検出手段が検出した操作情報を無線発信する第２の発信手段とをさらに具備し、
前記ピンＩＦ部は、該操作情報を受信する第２の受信手段をさらに具備し、前記制御手段は、さらに、前記第２の受信手段が受信した操作情報に基づいて、前記データベースより読み出した資料データを所定の表示手段に対して出力する
ことを特徴とする請求項１または請求項２に記載の情報表示装置。
【請求項５】
前記第１の記憶手段は、さらに、ピンを扱うユーザのＩＤであるＵＩＤと、該ＵＩＤに対して予め設定されたパスワードとを記憶し、
前記第１の発信手段は、さらに、該ＵＩＤと、該ＵＩＤに対して予め設定されたパスワードとを無線発信し、
前記第１の受信手段は、さらに、前記ピンが無線発信する前記ＵＩＤと、前記パスワードとを受信し、
前記制御手段が前記データベースより資料データを読み出す際に、前記データベースを管理するデータベースシステムより認証要求を受けた場合、前記送信手段は、受信した前記ＵＩＤ及び前記パスワードを前記データベースシステムに送信し、
前記制御手段は、前記データベースシステムから、前記ＵＩＤ及びパスワードによって前記ユーザが認証されたことを示すユーザ認証結果を受けて、該ＩＤに対応付けられた資料データを前記データベースより読み出し、所定の表示手段に対して出力する
ことを特徴とする請求項１に記載の情報表示装置。
【請求項６】
前記情報表示装置は、さらに、
所定のタスク情報を予め記憶する第３の記憶手段と、該タスク情報を無線発信する第３の発信手段とを具備する特殊ピンを具備し、
前記第１の受信部は、さらに、前記特殊ピンが無線発信するタスク情報を受信し、前記制御手段は、前記データベースより読み出したデータに対して、前記タスク情報で指定されたタスクを実行する
ことを特徴とする請求項１に記載の情報表示装置。
【請求項７】
資料データを記憶するデータベースに格納された資料データと予め対応付けられたピンＩＤを記憶する第１の記憶手段と、
前記データベースより該ピンＩＤと対応付けられた資料データを読み出して出力するピンＩＦ部に対して、該ピンＩＤを無線発信する第１の発信手段と、
ユーザが前記資料データの表示を切り替えるために行う回転操作及び／またはボタン操作に関する操作情報を検出する操作情報検出手段と、
該操作検出手段検出した操作情報を、該操作情報に基づいて、所定の表示手段に対して前記資料情報の出力を行う前記ピンＩＦ部に無線発信する第２の発信手段と
を具備することを特徴とするピン。
【請求項８】
資料データを記憶するデータベースに格納された資料データと予め対応付けられたピンＩＤを記憶するピンが、該ピンＩＤを無線発信し、
ピンＩＦ部が、前記ピンが無線発信するピンＩＤを受信し、ネットワークを介して接続され、前記ピンＩＤと前記資料データを対応付ける対応情報を記憶するＩＤ管理装置に、前記受信したピンＩＤを送信し、前記受信したピンＩＤと予め対応付けられた資料データの格納場所を示すディレクトリ情報を前記ＩＤ管理装置から受けて、該ディレクトリ情報が示す資料データを前記データベースより読み出し、所定の表示手段に対して出力する
ことを特徴とする情報表示方法。
【発明の詳細な説明】
【０００１】
【発明の属する技術分野】
本発明は、ユーザが直感的に操作可能なユーザインタフェースを備え、ワンアクションで情報を特定し表示する情報表示装置及び情報表示方法に関する。
【０００２】
【従来の技術】
従来のプロジェクタを用いたプレゼンテーションやコラボレーションでは、投影する資料等は、ＰＣやデータベースに格納されている場合が多く、資料を投影しようとする時には、持参したＰＣをプロジェクタに接続し、ＰＣ画面上で資料を読み出し、画面出力をプロジェクタの接続された外部出力端子に切り替えるといった一連の作業が必要になる。また、ネットワーク上のファイルサーバやデータベースに資料が格納されている場合、ＰＣをネットワークシステムと接続する必要があるなど、ユーザの設定負担が大きい、
【０００３】
この設定負担を省略する目的で以下の従来技術が存在する。
［特許文献］特開平２００１−２８２６５２
この例によれば、資料データ取得要求、ＵＲＬおよび認証情報をリモコン端末によりプロジェクタに送信し、その後投影要求をプロジェクタに送信する。プロジェクタは、取得要求に応じて、受信したＵＲＬにより特定されるＷＷＷサーバＤＳから投影データを取得し、投影要求に応じて、取得した投影データに基づいた画像を投影することとなる画像信号を投影器に出力する。これにより、プレゼンテーションを行う場合に、各発表者のプレゼンテーション資料を一つのノート型コンピュータ等にまとめなくても、各発表者は、プレゼンテーション資料をあらかじめＷＷＷサーバＤＳに格納しておけば、ＷＷＷサーバＤＳのＵＲＬを入力するだけで、プレゼンテーションを行うことができる。
【０００４】
【発明が解決しようとする課題】
ところが、上述の方法ではユーザは資料データのあるＷＷＷサーバのＵＲＬを資料データと対応付けて覚えておく必要が生じ、また認証の際にもユーザＩＤとパスワードを入力するといった操作は省略することはできない。
こういったちょっとした手間となる操作であっても、特にコラボレーション作業においては、作業そのものの思考をストップさせてしまう原因となるといった問題点があった。
さらに、ＵＲＬと資料が対応付けられていることにより、ＷＷＷサーバに保存された資料データを勝手に変更する、あるいは保存先を変更するなどの操作は共有使用上の問題となり、資料管理を適切に行うことができないといった問題点があった。
【０００５】
本発明は、このような事情を考慮してなされたものであり、その目的は、ユーザが直感的に操作可能なユーザインタフェースにより、ワンアクションで情報を特定し表示する情報表示装置及び情報表示方法を提供することにある。
【０００６】
【課題を解決するための手段】
この発明は上記の課題を解決すべくなされたもので、請求項１に記載の発明は、ピンと、ピンＩＦ部と、該ピンＩＦ部とネットワークを介して接続されるＩＤ管理装置からなる情報処理装置であって、前記ピンが、ピンＩＤを記憶する第１の記憶手段と、該ピンＩＤを無線発信する第１の発信手段とを具備し、前記ＩＤ管理装置が、資料データを記憶するデータベースに格納された資料データと前記ピンＩＤとを予め対応付ける対応情報を記憶する第２の記憶手段と、前記ピンＩＦ部より前記ピンＩＤを受信する第１の受信手段と、前記ピンＩＤの対応情報を前記ピンＩＦ部に対して送信する第１の送信手段とを具備し、前記ピンＩＦ部が、前記ピンが無線発信するピンＩＤを受信する第２の受信手段と、前記受信したピンＩＤを前記ＩＤ管理装置に送信する第２の送信手段と、前記ＩＤ管理装置より前記ピンＩＤの対応情報を受けて、該対応情報が示す資料データの格納場所を示すディレクトリ情報が示す資料データを前記データベースより読み出し、所定の表示手段に対して出力する制御手段を具備することを特徴とする。
【０００７】
請求項２に記載の発明は、ピンＩＤを記憶する第１の記憶手段と、該ピンＩＤを無線発信する第１の発信手段とを具備するピンと、前記ピンが無線発信するピンＩＤを受信する第１の受信手段と、前記ピンＩＤと前記資料データを対応付ける対応情報を記憶する第２の記憶手段と、前記ピンＩＤと予め対応付けられた資料データの格納場所を示すディレクトリ情報が示す資料データを前記データベースより読み出し、所定の表示手段に対して出力する制御手段を具備するピンＩＦ部とを具備することを特徴とする。
【０００８】
請求項３に記載の発明は、請求項１または請求項２に記載の発明において、前記ピンＩＦ部は、前記ピンの座標位置を認識する座標認識手段をさらに具備し、前記制御手段は、前記ピンＩＤと予め対応付けられた資料データの格納場所を示すディレクトリ情報が示す資料データを前記データベースより読み出し、前記ピンの座標位置に基づいて、該データを所定の表示手段に対して出力することを特徴とする。
【０００９】
請求項４に記載の発明は、請求項１または請求項２に記載の発明において、前記ピンは、ユーザが前記資料データの表示を切り替えるために行う回転操作及び／またはボタン操作に関する操作を検出する操作検出手段と、該操作検出手段が検出した操作情報を無線発信する第２の発信手段とをさらに具備し、前記ピンＩＦ部は、該操作情報を受信する第２の受信手段をさらに具備し、前記制御手段は、さらに、前記第２の受信手段が受信した操作情報に基づいて、前記データベースより読み出した資料データを所定の表示手段に対して出力することを特徴とする。
【００１０】
請求項５に記載の発明は、請求項１に記載の発明において、前記第１の記憶手段は、さらに、ピンを扱うユーザのＩＤであるＵＩＤと、該ＵＩＤに対して予め設定されたパスワードとを記憶し、前記第１の発信手段は、さらに、該ＵＩＤと、該ＵＩＤに対して予め設定されたパスワードとを無線発信し、前記第１の受信手段は、さらに、前記ピンが無線発信する前記ＵＩＤと、前記パスワードとを受信し、前記制御手段が前記データベースより資料データを読み出す際に、前記データベースを管理するデータベースシステムより認証要求を受けた場合、前記送信手段は、受信した前記ＵＩＤ及び前記パスワードを前記データベースシステムに送信し、前記制御手段は、前記データベースシステムから、前記ＵＩＤ及びパスワードによって前記ユーザが認証されたことを示すユーザ認証結果を受けて、該ＩＤに対応付けられた資料データを前記データベースより読み出し、所定の表示手段に対して出力することを特徴とする。
【００１１】
請求項６に記載の発明は、請求項１に記載の発明において、前記情報表示装置は、さらに、所定のタスク情報を予め記憶する第３の記憶手段と、該タスク情報を無線発信する第３の発信手段とを具備する特殊ピンを具備し、前記第１の受信部は、さらに、前記特殊ピンが無線発信するタスク情報を受信し、前記制御手段は、前記データベースより読み出したデータに対して、前記タスク情報で指定されたタスクを実行することを特徴とする。
【００１２】
請求項７に記載の発明は、資料データを記憶するデータベースに格納された資料データと予め対応付けられたピンＩＤを記憶する第１の記憶手段と、前記データベースより該ピンＩＤと対応付けられた資料データを読み出して出力するピンＩＦ部に対して、該ピンＩＤを無線発信する第１の発信手段と、ユーザが前記資料データの表示を切り替えるために行う回転操作及び／またはボタン操作に関する操作情報を検出する操作情報検出手段と、該操作検出手段検出した操作情報を、該操作情報に基づいて、所定の表示手段に対して前記資料情報の出力を行う前記ピンＩＦ部に無線発信する第２の発信手段とを具備することを特徴とする。
【００１３】
請求項８に記載の発明は、資料データを記憶するデータベースに格納された資料データと予め対応付けられたピンＩＤを記憶するピンが、該ピンＩＤを無線発信し、ピンＩＦ部が、前記ピンが無線発信するピンＩＤを受信し、ネットワークを介して接続され、前記ピンＩＤと前記資料データを対応付ける対応情報を記憶するＩＤ管理装置に、前記受信したピンＩＤを送信し、前記受信したピンＩＤと予め対応付けられた資料データの格納場所を示すディレクトリ情報を前記ＩＤ管理装置から受けて、該ディレクトリ情報が示す資料データを前記データベースより読み出し、所定の表示手段に対して出力することを特徴とする。
【００１４】
【発明の実施の形態】
以下、図面を参照して、本発明の情報表示装置の一実施形態について説明する。図１は、本実施形態の情報表示装置の構成図である。本実施形態の情報表示装置は、プロジェクタ４用のスクリーン５に貼り付けられるピン１Ａ〜１Ｅ、スクリーン５の隅部に設けられるピンＩＦ部２、ピンＩＦ部２とネットワークを介して接続されるＩＤ管理装置３から構成される。また図１において、プロジェクタ４は、ピンＩＦ部２からの表示出力をスクリーン５に対して投影する。ＰＣ６は、ユーザがプロジェクタ４を用いてスクリーン５に表示する資料データを記憶しており、ネットワーク１０を介してプロジェクタ４、スクリーン５とは離れた場所に設置されている。サーバ７、データベース８はＰＣ６と同様に、上述の資料データを記憶しており、ネットワーク１０を介してプロジェクタ４、スクリーン５とは離れた場所に設置されている。以下、ＰＣ６、サーバ７、データベース８を上述の資料データを記憶するデータベースシステムとする。
【００１５】
図２はピン１Ａ〜１Ｅの構成を示すブロック図である。ピン１Ａ〜１Ｅは、ＩＤ記憶メモリ１００、無線部１０１、回転ツマミ１０２、マイコン１０３、電源部１０４及び赤外線送出素子１１０から構成される。
ＩＤ記憶メモリ１００は、上述のデータベースシステムにユーザが格納した資料データと予め対応付けられたピンＩＤやユーザのＩＤを示すＵＩＤ（ＵｓｅｒＩＤ）、ＵＩＤ毎に設定されたパスワード、また特殊ピンとして割り当てられるタスク情報のいずれかを記憶する。ここでタスク情報とは、例えばネットワークを介して接続されたプリンタ９に資料データの印刷を実行させる等の機能を規定する機能情報である。
【００１６】
上述のピン１Ａ〜１Ｅは、ＩＤ記憶メモリ１００に上述のどの情報が記憶されているかがそれぞれ異なる。すなわち、ピン１ＡはＩＤ記憶メモリ１００にピンＩＤを記憶し、ピン１ＢはＵＩＤを記憶し、ピン１Ｃはパスワードを記憶し、ピン１Ｄは、プリンタ９による印刷タスク情報を記憶する。また、ピン１ＥはＩＤ記憶メモリ１００に後述するアプリケーション表示タスク情報を記憶する。
【００１７】
回転ツマミ１０２は、図３に示すように左右方向に回転動作する回転部と、上下方向に押下／引上動作するボタン部からなり、ユーザが回転部を操作した回転角度を検出し、この回転角度情報をマイコン１０３に出力する。また、ユーザがボタン部を押下した場合、この状態をＯＮとしてマイコン１０３にＯＮ情報を出力する。また、ユーザがボタン部を引上した場合、この状態をＯＦＦとしてマイコン１０３にＯＦＦ情報を出力する。
【００１８】
マイコン１０３は、ＩＤ記憶メモリ１００に記憶されたピンＩＤやＵＩＤ、パスワード、タスク情報等を無線部１０１に出力する。また、回転ツマミ１０２における操作に関する操作情報等を受けて、無線部１０１に出力制御する。すなわち、回転ツマミ１０２から回転角度情報を受けて、角度変化がある毎に無線部１０１に出力する。また、ユーザがボタン部を押下／引上すると、ＯＮ／ＯＦＦ情報を無線部１０１に出力する。
【００１９】
無線部１０１は、マイコン１０３から受けたピンＩＤやＵＩＤ、パスワード、タスク情報、回転角度情報、ＯＮ／ＯＦＦ情報を、赤外線素子１１０を駆動する駆動信号に変換し、出力する。赤外線送出素子１１０は、例えば、図３の左部分に示すピン１Ａ〜１Ｅの上面に設けられた４つの赤外線送出素子によって構成される。赤外線による無線発信の場合、３６０°全方向に向けて赤外線を送出するために、図３に示すようにそれぞれ９０°ずつ回転させた位置に赤外線送出素子１１０を実装する。
【００２０】
図３はピン１Ａ〜１Ｅの外観をしめす外観図である。ピン１Ａ〜１Ｅはユーザが把持する本体部分と、上述の上下方向及び回転方向に操作可能な操作部である回転ツマミ１０２及びスクリーン５に貼り付けるための下面部からなる。ピン１Ａ〜１Ｅの下面部に磁石などによる接着部材を設け、スクリーン５を金属製とすることで、スクリーン５上においてピン１Ａ〜１Ｅの着脱操作及びスライド移動操作を可能としている。
【００２１】
図４はピンＩＦ部２及びＩＤ管理装置３の構成を示すブロック図である。ピンＩＦ部２はＩ／Ｆ部２０、操作認識部２１、座標認識部２２、ＩＤ読取部２３、ＣＰＵ２４、ＲＡＭ２５、ＲＯＭ２６、表示出力部２７から構成される。
Ｉ／Ｆ部２０は、ネットワーク１０と接続される入出力インターフェイスであり、ＣＰＵ２４からの入力情報をＩＤ管理装置３に対して出力する。また、ＩＤ管理装置３からピンＩＤに対応する資料データを記憶したデータベースのディレクトリ情報の入力を受け、ＣＰＵ２４に出力する。また、データベースシステムより資料データの入力を受け、ＣＰＵ２４に出力する。
【００２２】
操作認識部２１は、上述のピン１Ａ〜１Ｅの回転ツマミ１０２における操作情報を受信し、これをどのピンからの操作情報であるかを認識し、ＣＰＵ２４に出力する。
また、操作認識部２１は、複数のピン１Ａ〜１Ｅが無線発信した複数の操作情報を一度に受けた場合、操作情報に付与されたピンＩＤを元に、ユーザがどのピン１Ａ〜１Ｅに対してどういった操作をしたかを判断する。
なお、ピン１Ａ〜１Ｅがさらに、ピンＩＤに基づいて操作情報にエンコードや変調等のデータ加工処理をすることで、操作認識部２１は、このデータ加工処理によって操作情報とピン１Ａ〜１Ｅの対応関係を識別するようにしてもよい。
【００２３】
座標認識部２２は、スクリーン５のピン１Ａ〜１Ｅが貼り付けられる領域に感圧センサを設けることにより、感圧センサのセンシング情報を解析しピン１Ａ〜１Ｅの座標を認識し、ＣＰＵ２４に出力する。また、これを常時動作させておくことで、ピン１Ａ〜１Ｅが画面部から離れた状態、スライド移動している状態を認識する。
また、複数のピン１Ａ〜１Ｅが移動した場合、どのピン１Ａ〜１Ｅがどの移動先座標に移動したかを認識する。
【００２４】
上述した感圧センサ以外の他の位置認識方法としては、カメラ画像認識方式、ピンからの信号利用方式が考えられる。
カメラ画像による場合、ピン１Ａ〜１Ｅの移動はユーザの手によって行われることから、カメラ走査により捕らえられた、その手の動きを画像認識し、ピンの位置、移動を認識する。
ピン１Ａ〜１Ｅからの信号を利用する場合、一定時間間隔でピン１Ａ〜１Ｅから座標認識のための赤外線信号を送出させ、ピンＩＦ部２に設けられる複数の赤外線受信部における、複数の受信信号間の遅延時間から、赤外線の伝播速度に基づいてピン１Ａ〜１Ｅと赤外線受信部との距離を算出し、これを解析することでピン１Ａ〜１Ｅの位置座標及び移動を認識する。
【００２５】
ＩＤ読取部２３は、ピン１Ａ〜１Ｅが無線発信するピンＩＤ、ＵＩＤ及びパスワード及びタスク情報を受信し、ＣＰＵ２４に出力する。
ＣＰＵ２４は、ＩＤ読取部２３からピンＩＤ、ＵＩＤ及びパスワード及びタスク情報等の各種情報を受けて、ＩＤ管理装置３、プロジェクタ４及びデータベースシステムとの間で後述するデータ入出力の制御を行う。
表示出力部２７は、ＣＰＵ２４から資料データの表示情報を受けて、プロジェクタ４に対して送出する。
【００２６】
ＩＤ管理装置３は、Ｉ／Ｆ部３０、ＩＤ管理部３１、記憶部３２、ＣＰＵ３３、ＲＡＭ３４、ＲＯＭ３５から構成される。
Ｉ／Ｆ部３０は上述のＩ／Ｆ部２０と同様に、ネットワーク１０と接続される入出力インターフェイスであり、ＣＰＵ３３からの入出力情報を制御する。
記憶部３２は図５に示す所定のデータとピンＩＤとを対応付けたリストＬ１を記憶する。　リストＬ１は、ピンＩＤと、そのピンに対応付けられたＵＲＬ（またはＵＬＩ）を管理するテーブルであり、具体的には図５に示すように、
ＩＤ＝００１／ＵＲＬ＝ｗｗｗ。ｘｘｘ。ｃｏｍ／ｆｏｌｄｅｒ／ｍｙＰｒｅｓｅｎ。ｘｍｌ
といった形で管理される。
【００２７】
ＩＤ管理部３１は、図５に示すように、ピンＩＦ部２がピン１Ａ〜１Ｅから受信したピンＩＤに対応するデータに関するデータ要求を受けて、上述のリストＬ１を記憶部３２より読み出して、ピンＩＤに対応するデータを特定し、このデータを記憶する上述のデータベースシステム内のディレクトリ情報をＣＰＵ３３に出力する。
【００２８】
ＣＰＵ３３は、ＩＤ管理装置３の各部の動作を管理する制御部である。ＲＡＭ３４は、ＣＰＵ３３が実行中の処理データを一時的に記憶しておく記憶部である。またＲＯＭ３５は、ＣＰＵ３３の動作プログラムを記憶しておく記憶部である。
【００２９】
以下、図面を参照して本実施形態の情報表示装置における、具体的な処理について説明する。図６は、本実施形態の情報表示装置における資料データ表示処理の流れを示すフローチャートである。
ユーザが、ＰＣなどで予めピン１Ａと対応付けておきたいデータベースシステム上の資料データを指定すると、（図４のステップＳ１）ピン１ＡのピンＩＤと、指定された資料データのＵＲＬとが対応付けられ、ＩＤ管理装置３の記憶部３２に記憶されたリストＬ１に書き込まれる。
【００３０】
次にユーザが、プレゼンテーション等において、このピン１Ａをスクリーン５に貼り付けると（ステップＳ２でＹｅｓ）、ピンＩＦ部２は、ピン１Ａが貼り付けられたことを検知し、ピンＩＤの取得を行う（ステップＳ３）。
すなわち、ピン１Ａが無線発信するピンＩＤをピンＩＦ部２のスクリーンに設けられたＩＤ読取部２３が受信し（ステップＳ４でＹｅｓ）、ＣＰＵ２４に出力する。ＣＰＵ２４はピンＩＤを受けて、このピンＩＤに対応するデータを記憶するデータベースのディレクトリ情報要求をＩ／Ｆ部２０に出力する。Ｉ／Ｆ部２０は、データベースのディレクトリ情報要求をＩＤ管理装置３に対して送信する。
【００３１】
ＩＤ管理装置３が、上述のディレクトリ情報要求を受信すると、ＩＤ管理部３１は記憶部３２に予め記憶されたピンＩＤのリストＬ１を参照する（ステップＳ５）。
リストＬ１に対応するピンＩＤがあることが確認されると（ステップＳ６でＹｅｓ）、このピンＩＤと対応するディレクトリ情報を示すＵＲＬを読み出して、ピンＩＦ部２に送信する。
【００３２】
ピンＩＦ部２はこのＵＲＬを受けて、ＵＲＬが示すデータベースのディレクトリを管理するデータベースシステムに対して資料データ要求を送信する。
データベースシステムはユーザ毎のアクセス制限が設けられている場合、ユーザ毎にアクセス可能な資料を予め規定するアクセス権情報に基づいてユーザ毎に資料の読み出し及び出力を管理する。具体的には図５に示すように、
ＵＩＤ＝ｔａｎａｋａ／ＰＷＤ＝ｘｘｘｘ
といった形でＵＩＤとパスワードをデータベースシステム内に記憶しておく。
このＵＲＬで指定されたディレクトリにアクセス制限が設定されている場合、資料データを表示するためには、認証が必要である（ステップＳ８でＹｅｓ）。認証が必要である場合、データベースシステムは認証を促す情報をピンＩＦ部２に対して送信し、ピンＩＦ部２は、これをプロジェクタ４によってスクリーン５に表示する（ステップＳ９）。
【００３３】
ユーザがスクリーン５に表示された認証要求情報を確認し、予めＵＩＤと、ＵＩＤに対応するパスワードを記憶したピン１Ｂと、ピン１Ｃとをスクリーンに貼り付けると（ステップＳ１０でＹｅｓ）、ピンＩＦ部２は、ピン１Ｂと、ピン１Ｃとが貼り付けられたことを検知し、ＵＩＤ及びパスワードの取得を行う（ステップＳ１１）。
すなわち、ピン１Ｂと、ピン１Ｃとが無線発信するＵＩＤ及びパスワードをピンＩＦ部２のスクリーンに設けられたＩＤ読取部２３が受信し（ステップＳ１２でＹｅｓ）、ＣＰＵ２４に出力する。
ＣＰＵ２４は、ＵＩＤ及びパスワードを受けて、このＵＩＤ及びパスワードを含むユーザ認証情報をＩ／Ｆ部２０に出力する。Ｉ／Ｆ部２０は、ユーザ認証情報をデータベースシステムに送信する（ステップＳ１３）。
【００３４】
データベースシステムが上述の認証要求を受信すると、予め設定されたアクセス権情報に基づいて認証処理を行う（ステップＳ１４）。
受信したＵＩＤ及びパスワードがアクセス権情報に規定されたＵＩＤ及びパスワードと一致すれば、ユーザは認証される（ステップＳ１５でＹｅｓ）。認証後、データベースシステムは、資料データ要求のあったディレクトリの資料データをピンＩＦ部２に送信する。
ピンＩＦ部２が資料データを受信すると（ステップＳ１６）、ＣＰＵ２４はこの資料データを表示するための表示情報を作成し、表示出力部２７に出力する。
表示出力部２７は、表示情報に基づいて資料データ投影情報を作成し、プロジェクタ４に出力し、プロジェクタ４は資料データ投影情報に基づいて資料データの表示を行う（ステップＳ１７）
【００３５】
以上説明したように、本実施形態の情報記憶装置によれば、プレゼンテーションやコラボレーションにおける資料データの取得に関して、ピン１Ａ〜１Ｅをスクリーンに貼り付けるという、ユーザにとって直感的なワンアクションのみで、資料データを特定し、表示することができる。また、認証に関しても同様に、ピン１Ａ〜１Ｅをスクリーンに貼り付けるというワンアクションのみで行うことができる。
【００３６】
次に、ピンＩＦ部２の画面部に表示された資料データの操作について説明する。
図７は、スクリーン５に表示された資料データが移動する様子を示す説明図である。ピン１Ａ〜１Ｅが貼り付けられたことにより表示された資料データは、ピン１Ａ〜１Ｅが移動するにつれて、追従移動する。すなわち、座標認識部２２は、ピン１Ａ〜１Ｅを常時監視し、座標認識しており、例えば、複数のピン１Ａ〜１Ｅが移動した場合、どのピン１Ａ〜１Ｅがどの移動先座標に移動したかを上述の座標認識方法を用いて認識し、ＣＰＵ２４に対してピン１Ａ〜１Ｅの位置座標情報を出力する。ＣＰＵ２４はピン１Ａ〜１Ｅの位置座票が更新される毎に、該更新された位置座標情報に基づいて新たに表示情報を作成し、これを表示出力部２７を介してプロジェクタに表示する。
【００３７】
次に、ピン１Ａ〜１Ｅの回転ツマミ１０２におけるＰｕｓｈ／Ｐｕｌｌ動作、回転動作に対する資料データの動作について説明する。
図８は、スクリーン５に表示された資料データが、アイコン形式の表示に変わる様子を示す説明図である。ユーザによりピン１Ａの回転ツマミ１０２がＰｕｓｈからＰｕｌｌ動作された場合、表示されていた資料データはアイコン形式の表示に変わる。
アイコン化された状態において、例えば、資料データのタイトルやコメント等をアイコン近傍に表示してもよい。このとき、Ｐｕｌｌ動作により完全に資料データの表示を消去してもよい。
【００３８】
なお、ピンをスクリーンから離すことによっても、表示されていた資料データは消去されるが、誤って離してしまった場合、再度上述のステップを繰り返すことは、ユーザにとって非常に不便であるため、資料データが消去されるまでに一定のタイムアウトを設けたり、スクリーン上の一定空間を資料データが消去されないセイフティエリアとしてもよい。
また、ユーザがピン１Ａの回転ツマミ１０２を回転操作した場合、例えばプレゼンテーション作業においては、前後スライドへの表示切替を行い、コラボレーションのときは、前回の議論資料や前前回の議論資料と時間をさかのぼって資料を表示してもよい。
【００３９】
次に、資料データの新規作成、編集、保存、削除、移動等のデータ操作について説明する。上述したようにピン１Ａ〜１Ｅは、資料データと予め対応付けられたピンＩＤがＩＤ記憶メモリ１００に書き込まれ、ピンＩＤ毎にＵＲＬが１対１で対応付けられた上述のリストＬ１によって管理される。
例えば、ユーザがデータベースシステムから読み出した資料を削除した場合や別のディレクトリに移動した場合等、資料データとＵＲＬの関係を変更した場合、ピンＩＤとデータのＵＲＬとを対応付けて記憶するピンＩＦ部２に記憶されたリストＬ１に記載されたＵＲＬを削除する、または上述の別のディレクトリを示すＵＲＬに書き換えることで、常にユーザが、同一のピンで目的のデータにアクセスできる。
また資料データの新規作成、編集、保存によっても同様に、ピン１Ａ〜１Ｅと資料データは上述のＵＲＬの更新処理により常に１対１の関係が保つことができる。
【００４０】
次に、ピン１Ｄ、ピン１Ｅ等の特殊ピンによる資料データの操作について説明する。
図９は、ピン１Ｄからのタスク情報を受けたプリンタ９が資料データの印刷を行う場合の様子を示す説明図である。
ここで、プリンタの機能情報を記憶した機能Ｐｉｎを貼り付けることにより、図９の画面部にプリンタ情報表示ウィンドウが表示され、さらに、資料データを記憶した資料Ｐｉｎをプリンタ情報表示ウィンドウの領域内に貼り付けると、資料データを表示する資料情報表示ウィンドウに印刷ボタンが表示される。ユーザが、表示された資料データの印刷を行う場合、この印刷ボタンにより印刷を行うことができる。
【００４１】
なお、本実施例における情報表示装置においては、表示装置であるプロジェクタと、画面部であるプロジェクタ用スクリーンのような表示装置が分離した分離型表示装置である場合についてついて説明したが、本発明は、これに限られるものではなく、例えば、液晶ディスプレイやＰＤＰの場合、表示装置が液晶ディスプレイやＰＤＰであり、画面部がそのスクリーン（表示画面）となる分離型であってもよい。また、表示装置と画面部とが合体した一体型表示装置であってもよい。
【００４２】
また、上述のピン１Ａ〜１Ｅの構成にＲＦ−ＩＤを用いる場合を以下に説明する。ＲＦ−ＩＤ方式とは、自身の関係者ＩＤを無線発信するタグと、その電波を拾い、関係者ＩＤを読み取るＲＦ−ＩＤ読取部により、無線で認証を行う方式である。タグ側には、コイルとコンデンサとＩＤ記憶及びＩＤ発信機能がある。
ＲＦ−ＩＤ読取部がアンテナ部より電波を送信し、タグ側が電波を受信しタグ側に設けられたコイルとコンデンサにより充電を繰り返すことで電力をコンデンサに蓄積し、術力可能なレベルまで電力が溜まったら自分のＩＤを無線発信し、その電波をＲＦ−ＩＤ読み取り部が読み取る。
したがって、ＩＤ記憶に上述のＩＤ記憶メモリ１００と同様の情報を記憶させ、かつ回転ツマミ１０２を設けることにより上述のＲＦ−ＩＤを用いてピン１Ａ〜１Ｅとして機能することが可能である。
【００４３】
また本実施例においては、特殊ピンであるピン１Ｄを用いたプリンタ９の印刷処理について説明したが、本発明はこれに限られるものではなく、例えば、コピーの複写機能、ＦＡＸの送信機能、スキャナの取り込み機能、プロジェクタの表示機能、ファイルサーバの保存機能を特殊ピンにタスク情報として割り当てることにより、そこで扱う電子情報を出力制御することが可能である。
具体的には、ピン１ＤをピンＩＦ部２に貼り付け、資料を表示している状態で、特定のフロアにおける特定の場所にあるプリンタのタスク情報を記憶した特殊ピンをピンＩＦ部２に貼り付けることにより、表示されている資料をそのプリンタに出力し、印刷をおこなうことができる。また、同様にしてコピーによる複写、ＦＡＸによるファクシミリ送信、スキャナによる取り込み、プロジェクタによる投影、ファイルサーバによる保存等の処理を行うことができる。
【００４４】
また、家庭における具体的な例として、例えば家族で使う家族掲示板を考える。所定のメールボックスへ対応付けられたピンＩＤを記憶した上述のピン１ＥをピンＩＦ部２に貼り付け、メールボックスに届いたメッセージが表示されている状態において、家族が電子メールをこのメールボックスに送信することで、常に目のつく場所にメッセージを表示させることが可能である。
【００４５】
また、家電製品のコントロールを特殊ピンによって行うことも考えられる。すなわち、目的の家電製品をネットワーク１０にさらに接続しておき、番組表を記憶したピン１Ａにスクリーン５に貼り付け、番組表を表示している状態で、ビデオ予約を行うピン１Ｅをさらに貼り付けることにより、番組予約を行うことができる。また、気温情報と対応付けられた天気予報ピンにより天気予報や気温情報を表示しておき、エアコンの温度管理を行う特殊ピンをさらに貼り付けることにより、外気温と室内温度とを比較し、適温にコントロールすることができる。
以上説明したように、本発明の情報表示装置では、ピンを貼り付けるという動作の使いやすさが有効である状況や場所において、格別の効果を奏するものである。
【００４６】
上述の情報表示装置は内部に、コンピュータシステムを有している。そして、上述した情報表示処理に関する一連の処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【図１】本実施形態の情報表示装置の全体構成図である。
【図２】本実施形態のピン１Ａ〜１Ｅの構成を示すブロック図である。
【図３】ピン１Ａ〜１Ｅの外観を示す外観図である。
【図４】ピンＩＦ部２、ＩＤ管理装置３の構成を示すブロック図である。
【図５】ピン１Ａ〜１Ｅにより、アクセス権制限が定められたデータベースに対する認証を行う様子を示す説明図である。
【図６】本実施形態の情報表示装置における資料データ表示処理の流れを示すフローチャートである。
【図７】ピンＩＦ部２の画面部に表示された資料データが移動する様子を示す説明図である。
【図８】ピンＩＦ部２の画面部に表示された資料データが、アイコン形式の表示に変わる様子を示す説明図である。
【図９】特殊ピンからのタスク情報を受けたプリンタが資料データの印刷を行う場合の様子を示す説明図である。
【符号の説明】
１…ピン、２…ピンＩＦ部、３…ＩＤ管理装置、４…プロジェクタ、５…スクリーン、６…ＰＣ、７…サーバ、８…データベース、９…プリンタ、１０…ネットワーク
【図１】
2004085804.tif 000003
【図２】
2004085804.tif 000004
【図３】
2004085804.tif 000005
【図４】
2004085804.tif 000006
【図５】
2004085804.tif 000007
【図６】
2004085804.tif 000008
【図７】
2004085804.tif 000009
【図８】
2004085804.tif 000010
【図９】
2004085804.tif 000011